(57)【要約】【課題】  本発明は外観が統一され、裸足で歩いても違和感のないバルコニーのデッキ構造を提供することをその課題とする。【解決手段】  建屋開口部の両側方下部から屋外側に突出した左右両側の妻梁４と、これら妻梁４の先端を連結する前枠５と建屋の外壁ｂとの間に所定の寸法の細長のデッキ材６を上記外壁と平行に並べて成るバルコニーのデッキにおいて、上記デッキ材６を前枠側から順に並べ、最も外壁側には、上記デッキ材６と同じデッキ材の寸法を切断することにより調整したデッキ材６ａを取り付けたことを特徴とするバルコニーのデッキ構造。【選択図】図１
2005290830.tif 000002
【特許請求の範囲】
【請求項１】
サッシ枠を設けた建屋開口部の両側方下部から屋外側に突出した左右両側の妻梁と、これら妻梁の先端を連結する前枠と建屋の外壁との間に所定の寸法の細長のデッキ材を上記外壁と平行に並べて成るバルコニーのデッキにおいて、上記デッキ材を前枠側から順に並べて固定し、最も外壁に近い側には、上記デッキ材と同じデッキ材を上記サッシ枠と外壁に合わせた寸法に切断することにより調整したデッキ材を取り付けたことを特徴とするバルコニーのデッキ構造。
【請求項２】
前記の最も外壁に近い側に配置されたデッキ材の端部には、前記デッキ材から流れ込んだ雨水を下方に案内する水切りを形成した、請求項１記載のバルコニーのデッキ構造。
【発明の詳細な説明】
【技術分野】
【０００１】
本発明は、デッキ材の上面と建屋開口部のサッシ下枠上面と屋内側の床面とを略面一にしたバリアフリー対応のバルコニーのデッキ構造に関するものである。
【背景技術】
【０００２】
従来のバルコニーは、建屋開口部から屋外側に突出したデッキを備えている。デッキを構成するデッキ材は直接には根太に支持されるが、根太の基部は根太掛けに支持されている。根太掛けは建屋外壁に沿って固定されるものであるが、根太掛けが正確な位置に設けられていないと、デッキ材が傾斜してしまうので、その位置出しが非常に重要である。
【０００３】
また、デッキ材の上面と建屋開口部のサッシ枠の下枠の上面には段差が設けられ、デッキ面は段落ちして設置されていた。その理由は、施工の問題もあるが、特に雨水が入りこみやすくなるからである。すなわち、デッキ面とサッシ下枠面とが面一であると、降雨時に雨水がサッシ下枠に吹きこみやすくなり、さらに屋内側にも進入するという可能性が高くなるのである。
【０００４】
ところが、最近はデッキ材の上面と建屋開口部のサッシ下枠の上面と屋内側の床面とを略面一にすることによって、老人が躓いたりせず、車椅子でも容易に移動できるようにするバリアフリー対応が求められている。これに対応するためには、デッキ材の位置を従来よりも高くしなければならないが、そのためには、デッキ材とサッシ枠とが干渉することがある。
【０００５】
また、デッキ材は内部を中空にした合成樹脂製の細長板状成形体で、所定の大きさに形成されている。デッキ部分には複数のデッキ材が並んだ状態で配置されている。
【０００６】
ところで、バルコニーのデッキの出幅は必ずしもデッキ材の幅の整数倍ではない。このため、従来は合成樹脂製の規格寸法のデッキ材とアルミニウム押出形材製デッキ材とを揃えておき、合成樹脂製の規格寸法のデッキ材をデッキ先端側から基部側にかけて並べていき、最も基部側には、現場でアルミニウムの押出型材製のデッキ材を切断加工して配置する方式が採用されていた。アルミニウム製デッキ材を選択する理由は、アルミニウムの方がバリの発生がほとんどなく、きれいに切断できるからである。
【発明の開示】
【発明が解決しようとする課題】
【０００７】
しかしながら、上述のようなデッキ材の配置方式によれば、合成樹脂製のデッキ材と調整用のアルミニウム製のデッキ材とが混在することになり、２種類の素材が異なる質感を与えるほか、幅寸法も異なるため、外観上の統一感がなく、裸足で歩くときも、感触に違和感があった。
【０００８】
本発明は上記問題点を解消し、外観が統一され、裸足で歩いても違和感のないバルコニーのデッキ構造を提供することをその課題とする。
【課題を解決するための手段】
【０００９】
前記課題を解決するため、本発明に係るバルコニーのデッキ構造は、サッシ枠を設けた建屋開口部の両側方下部から屋外側に突出した左右両側の妻梁と、これら妻梁の先端を連結する前枠と建屋の外壁との間に所定の寸法の細長のデッキ材を上記外壁と平行に並べて成るバルコニーのデッキにおいて、上記デッキ材を前枠側から順に並べて固定し、最も外壁に近い側には、上記デッキ材と同じデッキ材を上記サッシ枠と外壁に合わせた寸法に切断することにより調整したデッキ材を取り付けたことを特徴とする。
【００１０】
なお、前記の最も外壁に近い側に配置されたデッキ材の端部には、前記デッキ材から流れ込んだ雨水を下方に案内する水切りを形成するのが好ましい。
【発明の効果】
【００１１】
請求項１に係る発明によれば、デッキ材を前枠側から順に並べ、最も外壁側には、上記デッキ材と同じデッキ材の寸法を切断することにより調整して取り付けたものであるから、デッキ材は全て同じ幅寸法のものを使い、最も外壁に近い部分のデッキ材として、規格寸法とは異なる幅のデッキ材であることが必要となるときは、規格寸法のデッキ材を切断して調整して配置すればよい。このように、全て同じ素材のデッキ材を使用するので、外観的にも質感が同じで、統一感があり、裸足で歩くときも、違和感がない。
【００１２】
請求項２に係る発明によれば、特に建屋開口部にシャッターサッシを設けた場合に、このサッシ枠に対向するデッキ材の端部から流れ落ちた雨水は、水切りにより雨水を円滑、確実にその下方に配置された雨樋に案内することができる。
【発明を実施するための最良の形態】
【００１３】
図１はバルコニーの平面図、図２は図１のＸ−Ｘ線上の要部断面図である。同図において符号１は建屋開口部を示す。この開口部１にはサッシ枠２が設けられている。２ａはサッシ下枠で、上記開口部１の下方の建屋躯体ａに固定されている。ｂは建屋の外壁、３はサッシ下枠２ａの屋内側の床を示す。
【００１４】
次に、上記開口部１の屋外側にはバルコニーＡが設置されている。このバルコニーＡは、建屋開口部１の両側方下部から屋外側に突出した左右両側の妻梁４と、これらの妻梁４の先端を連結する前枠５と、妻梁４と前枠５との間に設けられたデッキ材６と、妻梁４と前枠５の上方に設けられた格子枠７とから大略構成されている。１０は壁縦枠である。なお、上記デッキ材６は根太８に支持され、根太８は根太掛け９と前枠５に支持されている。根太掛け９は建屋躯体ａに固定され、上方に開口し、両端には蓋１１が取り付けられて雨樋として構成され、サッシ下枠２ａやサッシ下枠２ａとデッキとの間から流れ落ちてきた雨水を受けるようになっている。根太掛け９内に流れ込んだ雨水は、根太掛け９に連結された雨樋３０から排水される。
【００１５】
サッシ下枠２ａの上面は床面と略面一になるように配置され、上記デッキ材６の上面はサッシ下枠２ａの上面と略面一になるように配置されている。さらに、サッシ下枠２ａは図１および図３に示されるように、屋外側に突出し、バルコニー側に張り出している。
【００１６】
次に、デッキ材６は内部を中空にした合成樹脂製の細長板状成形体で、所定の大きさに形成されている。また、デッキ材６の中央には凹溝１３が形成され、また幅方向の一側の上部にはＬ字形の係合縁１４が形成され、他側の上部には上方に開口する係合溝１５が形成されている。各デッキ材６は根太上に載置され、凹溝１３から根太にネジをねじ込むことによって固定されている。凹溝１３には断面コ字形のカバー１６が嵌め込まれる。また、隣り合うデッキ材６の一方の係合縁１４を他方の係合溝１５に係合させることにより、隣接するデッキ材６、６間には隙間ができない状態になっている。
【００１７】
このようにして、デッキ部分には複数のデッキ材６が並んだ状態で配置されるが、最も外壁に近い側のデッキ材６ａは、サッシ下枠２ａと干渉するほか、隣りのデッキ材６と外壁との間の間隔が規格の幅寸法よりも短いことがある。
【００１８】
そこで、最も外壁とサッシ枠に近い側のデッキ材６ａは、図３に示されるように、外壁ｂ側を切り欠いて幅と形状を調整した後に所定位置に嵌め込み、ネジで固定する。なお、切り欠いた側の縁３１には化粧アングル１７を取り付ける。化粧アングル１７を直角に連結するときは、コーナー部品１８を介して連結すればよい。
【００１９】
なお、上述のように配置固定されたデッキ材６の両側は、デッキカバー１９で覆われる。
【００２０】
以上のように、デッキ材６を前枠５側から順に並べ、最も外壁ａに近い側には、上記デッキ材６と同じデッキ材の寸法を切断することにより調整して取り付ける構成では、デッキ材６は全て同じ幅寸法のものを使い、最も外壁に近い部分のデッキ材６ａとして、規格寸法とは異なる幅のデッキ材６であることが必要となるときは、規格寸法のデッキ材６を切断して調整して配置すればよい。このように、全て同じ素材のデッキ材６を使用するので、外観的にも質感が同じで、統一感があり、裸足で歩くときも、違和感がない。
【００２１】
次に、図４および図５は、シャッター付きサッシ２Ａの場合のデッキ構造を示すもので、基本的には通常のサッシ収まりと同じであるから、同じ符号で示す。
【００２２】
ただし、シャッター付きサッシにおいては、バルコニー側への出幅が大きいので、出幅分だけでデッキ材６の規格の幅寸法よりも大きくなることがある。この場合は、サッシ下枠２ａの前側に一枚のデッキ材６ａを、サッシ下枠２ａの両側に別のデッキ材６ｂを、それぞれ切断調整して配置すればよい。
【００２３】
なお、図６に示されるように、シャッターの下端には幅木（ボトムスラットともいう）２０が取り付けられ、幅木２０には水切り縁２１が取り付けられている。水切り縁２１は幅木２０よりも屋外側に突出し、かつ下方に垂れるものであるから、サッシ下枠２ａには上記水切り縁２１を受ける幅木受け２２が形成されている。幅木受け２２はデッキ材６ａの位置出しをするための目印となる。また、幅木受け２２がないと、サッシ下枠２ａとデッキ材６との間の隙間が大きくなって、小さな物が落下するおそれがある。
また、シャッター付きサッシにおいては、幅木受け２２があるため、デッキ材６の端部よりも根太８の端部の方が外壁ｂ寄りに出っ張るので、シャッターの幅木受け２２とデッキ材６との間の隙間から流れ込んだ雨水は、デッキ材６と根太８の間や、根太８の内部に入り込んでしまい、バルコニーから直接に垂れ落ちてしまう。そのため、幅木受け２２に向き合うデッキ材６の端縁には化粧アングル２３とともに、水切り材２４が取り付けられている。水切り材２４は根太８の端部の上部を覆うようにして根太掛け９に向けて垂れ下がっている。これにより、シャッターの幅木受け２２とデッキ材６との間の隙間から流れ込んだ雨水を円滑、確実に根太掛け９に案内することができる。
【図面の簡単な説明】
【００２４】
【図１】本発明に係るバルコニーの平面図である。
【図２】図１のＸ−Ｘ線上の要部の断面図である。
【図３】デッキ材の取付態様を簡略に示した説明図である。
【図４】シャッターサッシに適用した場合の平面図である。
【図５】図４のＹ−Ｙ線上の要部の断面図である。
【図６】図５の要部の拡大図である。
【符号の説明】
【００２５】
ｂ  外壁
６、６ａ  デッキ材
８  根太
９  根太掛け
【図１】
2005290830.tif 000003
【図２】
2005290830.tif 000004
【図３】
2005290830.tif 000005
【図４】
2005290830.tif 000006
【図５】
2005290830.tif 000007
【図６】
2005290830.tif 000008